(57)【要約】【課題】洗濯ばさみのない洗濯物干しで、洗濯物を枠で挟む物があるが、可動の枠部を跳ね上げる時にきちんと留めておく手間や、開いた枠が手で滑って落ち指を挟む危険があった。その両方を同時に解消できる吊り下げ具を本発明で提供する。【解決手段】第１ライン及び第２ラインの少なくてもどちらか一方をスライドして、一方に被吊り下げ物を干せる第１状態と、第１ライン及び第２ラインで被吊り下げ物を挟む第２状態とを切り換えることで、一挙に被吊り下げ物を挟んだりはずしたりでき、手間なく指を挟むなどの危険のない吊り下げ具を提供する。【選択図】  図２
2016087431.tif 000002
【特許請求の範囲】
【請求項１】
第１ライン及び第２ラインのどちらか一方に被吊り下げ物を吊り下げれる第１状態と、前記第１ライン及び前記第２ラインで被吊り下げ物を挟む第２状態とを、前記第１ライン及び前記第２ラインの少なくとも一方をスライドして切り換えることができる吊り下げ具。
【請求項２】
前記第１ライン及び前記第２ラインの少なくとも一方に滑り止めを備えた請求項１記載の吊り下げ具。
【請求項３】
前記第１ライン及び第２ラインの両端にこのラインの延在方向と交差する方向に延在するレールが設けられ、前記第２状態を維持するために、レールと前記第１ライン及び前記第２ライン、又は前記第１ライン及び前記第２ライン同士をロックする機構を備える請求項１又は請求項２記載の吊り下げ具。
【請求項４】
前記第２状態の時に、前記第１ライン及び前記第２ラインに隙間を設けておく請求項１から請求項３のいずれか１項に記載の吊り下げ具。
【請求項５】
前記第１ライン及び前記第２ラインの少なくとも一方を、回転軸を中心にスライド回転させる請求項１から請求項４のいずれか１項に記載の吊り下げ具。
【発明の詳細な説明】
【技術分野】
【０００１】
本発明は物を吊り下げたり取りはずしたりできる吊り下げ具に関する。
【背景技術】
【０００２】
従来の洗濯物干し具は、洗濯ばさみを一つずつつまんで洗濯物を挟んだりはずしたりする必要があった。時間がかかり面倒で、日常必要な作業だけに忙しい人や手指の機能障害の人には負担であった。収納の時に洗濯ばさみが絡んだり、洗濯ばさみでかさが増えて邪魔であった。
また、洗濯物に洗濯ばさみで挟んだ押し型が残ったり、洗濯ばさみが劣化で傷んだりはずれたりする事があった。（特許文献１）
洗濯ばさみのない洗濯物干し具として、洗濯物を枠で挟む方法の物があるが、可動の枠部を跳ね上げる時にきちんと留めておく手間や、開いた枠が落ちて指を挟む危険があった。（特許文献２）
【先行技術文献】
【特許文献】
【０００３】
【特許文献１】特開平７−２５５９９５号公報
【特許文献２】特開２００２−３０６８９６号公報
【発明の概要】
【発明が解決しようとする課題】
【０００４】
洗濯ばさみのない洗濯物干し具で、洗濯物を枠で挟む物があるが、可動の枠部を跳ね上げる時にきちんと留めておく手間や、開いた枠が手が滑って落ち指を挟む危険があった。その両方を同時に解消できる吊り下げ具を本発明で提供する。
【課題を解決するための手段】
【０００５】
本発明に係る吊り下げ具は、第１ライン及び第２ラインの一方に被吊り下げ物を吊り下げれる第１状態と、第１ライン及び第２ラインで被吊り下げ物を挟む第２状態とを、第１ライン及び第２ラインの少なくとも一方をスライドして切り換えることができる。
【０００６】
本発明は、第１ライン及び第２ラインの少なくとも一方に滑り止めを備える吊り下げ具である。
【０００７】
本発明は、ラインの両端にこのラインの延在方向と交差する方向に延在するレールが設けられ、第２状態を維持するために、レールと第１ライン及び第２ライン、又は第１ライン及び第２ライン同士とをロックする機構を備える吊り下げ具である。
【０００８】
本発明は、第２状態の時に、第１ライン及び第２ラインに隙間を設ける吊り下げ具である。
【０００９】
本発明の吊り下げ具の形態が円形状で、第１ライン及び第２ラインは、その径方向に配置され、第１ライン及び第２ラインの少なくとも一方を、回転軸を中心にスライド回転させる吊り下げ具である。
【発明の効果】
【００１０】
第１ライン及び第２ラインの少なくとも一方をスライドして、第１ライン及び第２ラインで被吊り下げ物を一挙に挟んだりはずしたりするので、洗濯ばさみを一つずつつまんで被吊り下げ物を挟んだりはずしたりする手間がなく、時間短縮でき作業量を減らせる。また、手指の負担も軽減することができる。
【００１１】
第１ライン及び第２ラインの少なくとも一方をスライドして、第１ライン及び第２ラインで被吊り下げ物を挟んだりはずしたりするので、指を挟んで怪我をする心配や可動枠を跳ね上げてきちんと留めておく手間がない。
【００１２】
洗濯ばさみがないので、収納の際に洗濯ばさみが絡む事もなく、薄く収納できコンパクトである。又、洗濯ばさみが劣化によってはずれてしまう心配がない。
【００１３】
第２状態の時に、第１ライン及び第２ラインで線状に被吊り下げ物を挟むので、洗濯ばさみで挟んだ時の様に部分的に圧力を集中しない。よって挟み跡が残るのが軽減される。
【００１４】
第１ライン及び第２ラインの少なくとも一方をスライドすると、被吊り下げ物を第１ライン及び第２ラインで一挙に挟んだりはずしたりできる。被吊り下げ物を吊り下げるのもはずすのも簡単である。
【００１５】
第１ライン及び第２ラインの少なくとも一方に滑り止めを備えることで、吊るし終わって挟むまでに被吊り下げ物が落ちたり、吊るしている際のずれを防ぐ事が出来る。また、滑り止めを通気性を配慮した形状にすると、挟んでいる部分も乾きやすい。  
【００１６】
被吊り下げ物を挟んだ後に少なくとも一方のラインをスライドさせて、レールと第１ライン及び第２ライン、又は第１ライン及び第２ライン同士とにロックをかける事で、被吊り下げ物を挟んでいたラインの隙間が緩んだり、きっちり挟みそこねて被吊り下げ物がずり落ちるのを防ぐ事が出来る。
【００１７】
第２状態の時に、第１ラインと第２ラインの間に隙間を設けておく事で、被吊り下げ物の挟み跡を軽減したり、被吊り下げ物の厚みに対応したりすることが出来る。
【００１８】
本発明の形態を円形状にすることで、角がなくより安全である。また、円形状の形態は、円形状内で回転軸を中心にラインがスライドするので、省スペースで被吊り下げ物を挟んだりはずしたりできる。
【図面の簡単な説明】
【００１９】
【図１】第１実施形態の、被吊り下げ物を吊り下げれる状態の図（第１状態）
【図２】第１実施形態の、被吊り下げ物を挟んだ状態にある使用図（第２状態）
【図３】フレームを表した図（ａ）第１フレーム、（ｂ）第２フレーム
【図４】レールの構成図（ａ）２段構成斜視図（ｂ）１段構成斜視図
【図５】第１フレーム又は第２フレームの横枠をレール代わりに中空にした簡略断面図
【図６】第２実施形態の構成図で、被吊り下げ物を吊り下げれる状態の図（第１状態）
【図７】第１ライン及び第２ラインの滑り止めの例        （ａ）長手方向に筋状で凸凹のある滑り止め      （ｂ）輪の形状のものを隙間をあけてはめ込んだ滑り止め      （ｃ）長手方向に波状の形状を間をあけて配置した滑り止め      （ｄ）ランダムに突起を備えた滑り止め
【図８】ロック機構の例      （ａ）レールと第１ライン及び第２ラインのロック      （ｂ）第１ライン及び第２ライン同士のロック
【図９】変形例      （ａ）第１ライン及び第２ラインが曲線を含む変形例      （ｂ）第１ライン及び第２ラインの間隔が、等間隔でない変形例      （ｃ）フレームが半円形状の変形例      （ｄ）レールや横枠が直線でなく、弧を描くような曲線造りにした変形例
【発明を実施するための形態】
【００２０】
以下の実施例は被吊り下げ物８としての洗濯物を含みます。
第１ライン２１及び第２ライン３１を開き、どちらか一方に被吊り下げ物８を干したりはずしたりできる第１状態と、第１ライン２１及び第２ライン３１を閉じ被吊り下げ物８を挟んだまま保持できる第２状態を一挙に切り換えれる構成になっている。
【００２１】
〈第１実施形態〉
第１実施形態は本発明の吊り下げ具１が四角い形状の場合である。
【００２２】
第１実施形態のレール４が２段構成の本発明の吊り下げ具１を、図１〜図４（ａ）に示す。
四角いフレームに配置した第１ライン２１を有する第１フレーム２と、第１フレーム２とほぼ同形状の第２ライン３１を有する第２フレーム３と、フレームの横枠２２及び３２の少なくとも一方をスライドするための２本の直線のレール４と、鎖や紐等でできている吊り部５とから構成される吊り下げ具１である。
図３（ａ）で示すように、第１フレーム２は四角いフレームに複数本平行でほぼ等間隔に配置した第１ライン２１と横枠２２を備え、図３（ｂ）の第２フレーム３は第１フレーム２とほぼ同形状で、第２ライン３１と横枠３２を備える。第１ライン２１と第２ライン３１の長さやライン同士の間隔は、被吊り下げ物８に適したものであればよい。第１フレーム２と第２フレーム３を第１ライン２１と第２ライン３１も重なるような方向で重ね、レール４をラインと垂直のフレームの横枠２２及び横枠３２に両側からはめ込み、第１フレーム２及び第２フレーム３の少なくとも一方をレール４に沿ってスライドできる。
【００２３】
第１フレーム２及び第２フレーム３の少なくとも一方を、レール４に沿ってスライドし、第１ライン２１と第２ライン３１を開いた第１状態の時（図１）に被吊り下げ物８を一方のラインに吊るしたりはずしたり、第１ライン２１と第２ライン３１を閉じた第２状態の時（図２）に被吊り下げ物８を挟んだりを一挙に切り換えれる機構となっている。
【００２４】
図４（ａ）は、レール４の２段構成の斜視図である。
２段構成は、コの字型のレール４の真ん中に分離板があり、断面をＥ字型にしたものである。第１フレーム２の横枠２２をＥ字型のレール４の上段に、第２フレーム３の横枠３２をレール４の下段にセットし少なくとも一方がスライドできる。第１ライン２１及び第２ライン３１のどちらか一方に被吊り下げ物８を吊り下げ、第１ライン２１及び第２ライン３１で挟むと、第１ライン２１と第２ライン３１はほぼ上下の関係で位置し、被吊り下げ物８をその間で挟むことになる。レール４の長さは、第１ライン２１と第２ライン３１を開いた第１状態の時にレール４からラインがはずれず、ストッパー１２がレール４の両端につけれる長さにする。
【００２５】
第１実施形態のレール４が１段構成の本発明の吊り下げ具１を、図１、図２、図４（ｂ）に示す。
レール４が１段構成の場合は、図４（ａ）における第２フレーム３の横枠３２をなくし、レール４に第２ライン３１の両端を固定するため、レール４と複数の第２ライン３１で四角形状になり、第２フレーム３の用途を果たす。
レール４が１段構成の斜視図を図４（ｂ）に示す。
レール４の長手方向の端から端まで、レール４に垂直に一定間隔で、第２ライン３１の両端をレール４のコの字型の内側に固定する。また、レール４の長手方向にスライドできるように、第２ライン３１と同間隔で同数の第１ライン２１を備える四角形状の第１フレーム２を設置する。この場合レール４の端から、第２ライン３１、第１ライン２１と交互になるように設置する。
レール４に幅を持たせると、第２ライン３１を固定しやすく、第１ライン２１をコの字型のレール４の内側に固定された第２ライン３１より奥の空間を使って、レール４に沿ってスライドできやすくなる。レール４の奥でスライドさせる分、第１ライン２１が第２ライン３１より長くなる。
レール４に固定した第２ライン３１同士の間を、横枠２２がレール４に沿って可動して行き来しすることによって、第１ライン２１が第２ライン３１と共に被吊り下げ物８を挟んだりはずしたりできる。
【００２６】
第１実施形態で、一方の中空にしたフレームの横枠２２又は横枠３２が、レール４の働きをする本発明の吊り下げ具１を、図５に示す。
図５は、第１フレーム２の横枠２２又は第２フレーム３の横枠３２の両側の横枠を中空にし、中空にした横枠同士が対面する面にラインをほぼ等間隔に設置し、もう一方のフレームを、中空の横枠に内蔵してスライドさせる機構の簡略断面図である。よって、この場合は中空にした横枠がレール４の役目をするので、レール４を設ける必要がない。また、中空の横枠３２の長手方向の端から第２ライン３１、第１ライン２１と交互になるように設置する。
例えば第２フレーム３の両側の横枠３２を中空にし、横枠３２同士が対面する面に端から端まで複数の第２ライン３１を等間隔に固定する。また、中空にした横枠３２の第２ライン３１間に、第１ライン２１がスライドできる程度の大きさの横溝１４を設ける。四角い形状で、複数の第２ライン３１と同間隔の第１ライン２１を備える第１フレーム２の横枠２２を、中空にした横枠３２にはめ込み、第１ライン２１を第２フレーム３の横溝１４から出してスライドできるように設置した構造である（図５）。これで横枠３２の中空内を横枠２２がスライドし、同時に第２フレーム３の横溝１４の長さ分、第１ライン２１が横溝１４に沿って可動する。第１ライン２１が可動して行き来しすることによって、第１ライン２１が第２ライン３１と共に被吊り下げ物８を挟んだりはずしたりできる。
【００２７】
少なくとも一方のラインが、一方方向に行くと第１ライン２１と第２ライン３１が閉じてその間で被吊り下げ物８を挟み、もう一方の方向に行くと開いて被吊り下げ物８を干したりはずしたりすることができる。
【００２８】
レール４が２段でも、１段でも、レール４をなくした構造（図５）でも、またその他の機構でも、第１ライン２１及び第２ライン３１の少なくても一方がスライドし被吊り下げ物８を挟んだりはずしたりでき、屋外での耐久性のある構造であればよい。
【００２９】
図４（ａ）と（ｂ）は、フレームがレール４からはずれることの無いように、ストッパー１２を二本のレール４の両末端に備える。またレール４が２段構成の図４（ａ）の時、第１フレーム２及び第２フレーム３のスライドの固定、可動が逆でもいいし、両方可動させてもよい。
【００３０】
第１フレーム２、第２フレーム３、レール４、鎖や紐等でできている吊り部５、取っ手７、ロック１１、ストッパー１２は、例えばスチールまたはステンレス（ポリエチレンコーティングした物）や樹脂など、屋外使用に耐えれる素材であればよい。
【００３１】
第１ライン２１及び第２ライン３１で被吊り下げ物８を線状に挟み、ライン間に隙間９もあるので、挟み跡を軽減したり、被吊り下げ物８の厚みに対応することができる。
【００３２】
第１ライン２１及び第２ライン３１のどちらか一方をスライドして被吊り下げ物８を挟むので、指を挟んで怪我をする心配や可動枠を跳ね上げてきっちりと留める手間がない。
【００３３】
洗濯ばさみがないので絡みあう事もなく、薄くコンパクトに収納できる。又、洗濯ばさみが劣化によってはずれてしまう心配がない。
【００３４】
第１ライン２１及び第２ライン３１の一方に被吊り下げ物８を掛け、第１フレーム２及び第２フレーム３の少なくとも一方をスライドすると一挙に被吊り下げ物８を挟んだりはずしたりでき、吊り下げが簡単にできる。
洗濯ばさみを一つずつつまむ手間がなく、時間短縮でき作業量を減らせる。手指の負担も軽減できる。
【００３５】
スライドするラインのレール４に近い所に、取っ手７を備えると更にスライドしやすい。
【００３６】
〈第２実施形態〉
図２実施形態は図６で示すように、本発明の吊り下げ具１が円形状の場合である。
第１フレーム２の外枠１３ａと第２フレーム３の外枠１３ｂ及びレール４が円形状である。
円形状の第１フレーム２の第１ライン２１と円形状の第２フレーム３の第２ライン３１を、径方向に回転軸１０を中心に同角度に複数本ずつ、円形状の第１フレーム２と第２フレーム３がほぼ同形状になるよう配置する。ラインの長さや回転軸からの角度は被吊り下げ物８に適したものにする。
第１フレーム２と第２フレーム３を重ね合わせ、外枠１３ａ 及び１３ｂを円形状のレール４にはめ込む。第１ライン２１及び第２ライン３１の少なくても一方が回転軸１０を中心にスライド回転（＝相対変位）させる事以外は、第１実施形態記載の吊り下げ具１と、ラインをスライドして被吊り下げ物８を挟んだりはずしたりするという構成は同じである。
【００３７】
ただし、円形状のレール４を円形状の第１フレーム２及び第２フレーム３に外側からはめ込み、レール４に沿って少なくとも一方のフレームをスライドするため、フレームが外れる心配がなくレール４のストッパー１２は必要ない。
回転軸１０も当然に屋外の使用に耐えうる素材が良い。
【００３８】
第２実施形態は、回転軸を中心に第１ライン２１及び第２ライン３１の少なくとも一方のラインをスライド回転させ被吊り下げ物８を挟んだりはずしたりするため、回転スペースは円形状内で収まり省スペースで吊り下げ具１を使用できる。角がなくより安全である。
【００３９】
少なくとも一本のスライドするラインの、円形状レール４に近いところに取っ手７を備えるとさらにスライドしやすい。      
【００４０】
〈第１実施形態及び第２実施形態の共通例〉
図７で、第１ライン２１及び第２ライン３１の表面の滑り止め６の例を示す。
ラインの滑り止め６は、弾力体で防水性、耐久性のある素材を第１ライン２１及び第２ライン３１の少なくとも一方の表面に備え、凸凹を設けて被吊り下げ物８が滑らず、通気が良く乾きやすい状態になるように配慮されたものがよい。
（ａ）は、長手方向に筋状に凸凹のある滑り止め６。
（ｂ）は、輪の形状のものを隙間を開けながらはめ込んだ滑り止め６。
（ｃ）は、長手方向に波状の形状のものを間をあけて配置した滑り止め６。
（ｄ）は、ランダムに突起を備えた滑り止め６。
【００４１】
滑り止め６に凸凹を設け通気性を持たせることで，挟んでいる部分も乾きやすくできる。被吊り下げ物８に応じて滑り止め６の凹凸の量を減らしたり、形状を工夫することで被吊り下げ物８に挟み跡などの負担を軽減できる。
【００４２】
図８は、第２状態の時に第１ライン２１と第２ライン３１の隙間９が開かないようにするロック機構を示す。
第２状態を維持するために、レール４に第１ライン２１と第２ライン３１を同時にロック、又は第１ライン２１及び第２ライン３１同士をロックなど、第１ライン２１と第２ライン３１が閉じたまま緩まなければ他の方法でも、ロックする機構を少なくとも１か所備えるとよい。
【００４３】
図８（ａ）及び（ｂ）でロック１１の機構の二つの例を示す。
（ａ）は、第２状態の時に閉じている第１ライン２１と第２ライン３１の外側のレール４に取りつけたロック１１で、第１ライン２１及び第２ライン３１が閉じたまま開かないようにする機構である。ロック１１の先が二股に分かれて軽く湾曲している。二股から先は第１ライン２１と第２ライン３１を重ねた厚み程度の長さがあり、根元で回転して、第２状態で閉じられた第１ライン２１及び第２ライン３１を二股の内側で挟みこんでロックする。
（ｂ）は、第１ライン２１及び第２ライン３１同士をロック１１で留めて、閉じたまま開かないようにする機構である。一方のラインに取り付けた軽く湾曲したロック１１を根元から回転させ、もう一方のラインを湾曲の形状を活かしロックする機構である。この場合、スライドするラインにロック１１の頭をリング状にして取り付けロックできるようにしておくと、ロックをはずした時に取っ手７として、スライドする際にリングに指を入れて引っ張ることもできる。
（ａ）又は（ｂ）の様にロックすることで、第１ライン２１と第２ライン３１が緩んで隙間９が開き、被吊り下げ物８がずれたり落ちたりしないようにすることができる。 
【００４４】
〈変形例〉
図９では本発明の変形例を示す。
図９（ａ）は、ラインが直線でなく曲線を含んでいる第２状態の図である。
ラインが曲線でも折れ曲がっていても、ほぼ同じ形状をしている第１ライン２１と第２ライン３１の組み合わせで、被吊り下げ物８を吊り下げるのに最適な形状で、少なくとも一方のフレームをスライド（＝相対変位）させ、被吊り下げ物８を挟んだりはずしたりできる様にできるものであればよい。
例えば、帽子など中が空洞の物を挟む時には、ライン同士を帽子の耳辺り→頭頂→もう一方の耳辺りの形状に合わせた曲線にして帽子を挟むと、形状を損ねることなく吊り下げる事が出来る。
このように必要であれば、ラインの形状を変えることも可能である。
【００４５】
図９（ｂ）は、フレームに備えた複数本のライン間が等間隔でない場合の第２状態の図である。
被吊り下げ物８に合わせてラインの間隔を変えてもよい。
【００４６】
図９（ｃ）は、フレームが半円形状の第１状態の図を示す。
本発明の形態が四角や円形状以外に、半円形状や台形など他の形状に、用途や設置場所に合わせ変形することもできる。
【００４７】
図９（ｄ）は、レールとフレームの横枠を直線にせず、曲線で弧を描くような造りにしている第２状態の図を示す。
被吊り下げ物８や用途に応じて、レールとフレームの形状を変えることもできる。
【００４８】
ラインを一本ずつの構成でも、スライドして被吊り下げ物８を挟んだりはずしたりすることができる。
【００４９】
ラインの断面を円柱、多角柱、角柱など他の形にし、被吊り下げ物８に応じて挟みやすくしたり、第１ライン２１及び第２ライン３１で挟む部分の接触面積を小さくして乾きやすくしてもよい。また、第１ライン２１と第２ライン３１の太さを変えてもよい。
【００５０】
ストッパー１２は図４で、レール４の両端の断面を覆うものを示したが、第１フレーム２及び第２フレーム３が抜け落ちない程度の突起物を設けたり、レール４からフレームが抜け落ちなければ他の方法でもよい。
【００５１】
ロック１１は、位置決めして固定せず、第１ライン２１と第２ライン３１が緩まないように、内側に力が入るクリップ等で、被吊り下げ物８に邪魔にならない適切な場所で挟むこともできる。また、ライン同士が緩まない構造であれば他の構造にしても、ロック１１の位置を変えてもよい。
【産業上の利用可能性】
【００５２】
本発明の吊り下げ具１は、二本のラインで線状に挟むので、フレームの長さや幅にバリエーションを増やすと、洗濯物や布巾などの小物の他、シーツや毛布などの大きな布類をはじめ、干物や野菜などの生鮮食品を干したり、絵具や塗料を塗った紙やその他の材質の物を挟んで乾かしたり、家庭雑貨、美容用品、アクセサリー、ネクタイなど服飾関係の収納など、他の用途にも使用することができる。
【符号の説明】
【００５３】
１        本発明品の吊り下げ具
２        第１フレーム
２１    第１ライン
２２    横枠
３        第２フレーム
３１    第２ライン
３２    横枠
４      レール
５      鎖や紐等でできている吊り部
６      滑り止め
７      取っ手
８      被吊り下げ物
９      隙間
１０      回転軸
１１      ロック
１２      ストッパー
１３ａ    円形状の第１フレームの外枠
１３ｂ    円形状の第２フレームの外枠
１４      横溝
【図１】
2016087431.tif 000003
【図２】
2016087431.tif 000004
【図３】
2016087431.tif 000005
【図４】
2016087431.tif 000006
【図５】
2016087431.tif 000007
【図６】
2016087431.tif 000008
【図７】
2016087431.tif 000009
【図８】
2016087431.tif 000010
【図９】
2016087431.tif 000011
【手続補正書】
【提出日】平成28年1月5日(2016.1.5)
【手続補正１】
【補正対象書類名】特許請求の範囲
【補正対象項目名】全文
【補正方法】変更
【補正の内容】
【特許請求の範囲】
【請求項１】
複数の第１ラインを含む第１フレーム及び複数の第２ラインを含む第２フレームを備え、前記第１ライン及び前記第２ラインのどちらか一方に被吊り下げ物を吊り下げれる第１状態と、前記第１ライン及び前記第２ラインで被吊り下げ物を挟む第２状態とを有し、前記第１フレーム又は前記第２フレームの一方に対して、他方を平行方向にスライドして一挙に、前記第１状態と前記第２状態とを切り換えることができる吊り下げ具。
【請求項２】
前記第１ライン及び前記第２ラインの少なくとも一方に滑り止めを備えた請求項１記載の吊り下げ具。
【請求項３】
前記第１ライン及び第２ラインの両端にこのラインの延在方向と交差する方向に延在するレールが設けられ、前記第２状態を維持するために、レールと前記第１ライン及び前記第２ライン、又は前記第１ライン及び前記第２ライン同士をロックする機構を備える請求項１又は請求項２記載の吊り下げ具。
【請求項４】
前記第２状態の時に、前記第１ライン及び前記第２ラインに隙間を設けておく請求項１から請求項３のいずれか１項に記載の吊り下げ具。
【請求項５】
前記第１フレーム及び前記第２フレームが同軸の回転軸を有し、前記第１フレーム及び前記第２フレームの少なくとも一方を、回転軸を中心にスライド回転可能に構成されている請求項１から請求項４のいずれか１項に記載の吊り下げ具。
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
複数の第１ラインと前記第１ラインと垂直の横枠を含む第１フレーム及び複数の第２ラインを含む第２フレームを備え、前記第１ライン及び前記第２ラインの両端にこれらのラインの延在方向と交差する方向に延在するレールが設けられ、前記第１ライン及び前記第２ラインのどちらか一方に被吊り下げ物を吊り下げれる第１状態と、前記第１ライン及び前記第２ラインで被吊り下げ物を挟む第２状態とを有し、前記第１フレームを前記レール又は前記横枠に沿った方向に、前記第２フレームに対して相対的にスライドして一挙に、前記第１状態と前記第２状態とを切り換えることができる吊り下げ具。
【請求項２】
前記第１フレーム及び前記第２フレームが同軸の回転軸を有し、前記第１フレーム及び前記第２フレームの少なくとも一方を、回転軸を中心にスライド回転可能に構成されている請求項１記載の吊り下げ具。